(57)【要約】  ユーザ機器（ＵＥ）の装置は、ネットワークのセルから１つ以上のサブフレームを受信し、ＣＲＳの緩和がセルによって使用されるかどうかを判定するために、１つ以上のサブフレーム内のセル固有参照信号（ＣＲＳ）送信パターンを検出するための１つ以上のベースバンドプロセッサであって、１つ以上のベースバンドプロセッサは、ＣＲＳの緩和が使用されるときに、１つ以上のサブフレームの処理を調整するものである、１つ以上のベースバンドプロセッサを備える。装置は、１つ以上のサブフレームを記憶するためのメモリを更に含む。【選択図】図１
2020530697.tif 000002
【特許請求の範囲】
【請求項１】
ネットワークのセルから１つ以上のサブフレームを受信し、ＣＲＳの緩和が前記セルによって使用されるかどうかを判定するために、前記１つ以上のサブフレーム内のセル固有参照信号（ＣＲＳ）送信パターンを検出するための１つ以上のベースバンドプロセッサであって、前記１つ以上のベースバンドプロセッサが、ＣＲＳの緩和が使用されるときに、前記１つ以上のサブフレームの処理を調整するものである、１つ以上のベースバンドプロセッサと、
前記１つ以上のサブフレームを記憶するためのメモリと、
を備える、ユーザ機器（ＵＥ）の装置。
【請求項２】
前記セルが、サービングセル又は隣接セルを含む、請求項１に記載の装置。
【請求項３】
前記１つ以上のベースバンドプロセッサは、ＣＲＳの緩和が使用されるときに無線リソース管理（ＲＲＭ）手順又は復調手順を調整するものである、請求項１から２のいずれか一項に記載の装置。
【請求項４】
ＣＲＳの緩和が前記セルによって使用されるかどうかを判定することは、
物理リソースブロック（ＰＲＢ）の中央セット（ＲＳＲＰ＿ＩＮ）上のＣＲＳ参照信号受信電力（ＲＳＲＰ）を推定し、前記１つ以上のサブフレームのＰＲＢの外側セット（ＲＳＲＰ＿ＯＵＴ）上のＣＲＳ  ＲＳＲＰを推定することと、
ＲＳＲＰ＿ＩＮがＲＳＲＰ＿ＯＵＴ及びマージンを超えている場合に、ＣＲＳの緩和が前記セルによって使用されると判定することと、を含む、請求項１から３のいずれか一項に記載の装置。
【請求項５】
前記ＲＳＲＰ＿ＯＵＴを推定することは、前記ＰＲＢの中央セットを含まない、請求項４に記載の装置。
【請求項６】
前記ＲＳＲＰ＿ＯＵＴを推定することは、前記物理リソースブロック（ＰＲＢ）の中央セットのうちの１つ以上を含む広帯域ＲＳＲＰ測定を含む、請求項４に記載の装置。
【請求項７】
ＣＲＳの緩和が前記セルによって使用されるかどうかを判定することは、
前記１つ以上のサブフレームの物理リソースブロック（ＰＲＢ）の外側セットの周波数領域で第１のＣＲＳ信号（ＣＲＳ信号１）を再構成し、前記１つ以上のサブフレームの全帯域幅の周波数領域で第２のＣＲＳ信号（ＣＲＳ信号２）を再構成することと、
ＣＲＳ信号１又はＣＲＳ信号２を用いて相互相関又は部分相互相関を実行することであって、相互相関ピークが見つからない場合には、ＣＲＳの緩和は前記セルによって使用され、又は相互相関ピークが見つかる場合には、ＣＲＳの緩和は前記セルによって使用されない、ことと、を含む、請求項１から６のいずれか一項に記載の装置。
【請求項８】
前記１つ以上のベースバンドプロセッサは、ＣＲＳ信号１との前記相互相関又は前記部分相互相関を実行するものであり、修正された受信信号は、物理リソースブロック（ＰＲＢ）のヌリングされた中央セットを有する受信信号を含む、請求項７に記載の装置。
【請求項９】
前記１つ以上のベースバンドプロセッサは、完全受信信号を有するＣＲＳ信号２との前記相互相関又は前記部分相互相関を実行するものである、請求項７に記載の装置。
【請求項１０】
前記第１のＣＲＳ信号及び前記第２のＣＲＳ信号は、周波数領域の代わりに時間領域で再構成される、請求項７に記載の装置。
【請求項１１】
前記１つ以上のベースバンドプロセッサは、ＣＲＳ信号が前記１つ以上のサブフレームの前記外側物理リソースブロック（ＰＲＢ）で送信されないときに、前記１つ以上のサブフレームの処理を調整するものである、請求項１から１０のいずれか一項に記載の装置。
【請求項１２】
前記１つ以上のベースバンドプロセッサは、ＣＲＳの緩和が前記１つ以上のサブフレームに対して検出されたときに、ＣＲＳ信号を伴わずに、物理リソースブロック（ＰＲＢ）のＣＲＳ干渉緩和（ＣＲＳ−ＩＭ）処理を無効化するものである、請求項１から１１のいずれか一項に記載の装置。
【請求項１３】
前記１つ以上のベースバンドプロセッサは、ＣＲＳの緩和が前記１つ以上のサブフレームに対して検出されたときに、全ての物理リソースブロック（ＰＲＢ）におけるＣＲＳ干渉緩和（ＣＲＳ−ＩＭ）処理を無効化するものである、請求項１から１２のいずれか一項に記載の装置。
【請求項１４】
前記１つ以上のベースバンドプロセッサは、ＣＲＳの緩和が前記１つ以上のサブフレームに対して検出されたときに、ＣＲＳ信号を伴わずに、物理リソースブロック（ＰＲＢ）内のネットワーク支援型干渉除去及び抑制（ＮＡＩＣＳ）受信機処理を無効化するものである、請求項１から１３のいずれか一項に記載の装置。
【請求項１５】
前記１つ以上のベースバンドプロセッサは、ＣＲＳの緩和が前記１つ以上のサブフレームに対して検出されたときに、ＣＲＳ信号を有する物理リソースブロック（ＰＲＢ）のみを用いて、隣接セル上の参照信号受信電力（ＲＳＲＰ）又は参照信号受信品質（ＲＳＲＱ）を含む無線リソース管理（ＲＲＭ）測定を実行するものである、請求項１から１４のいずれか一項に記載の装置。
【請求項１６】
前記１つ以上のベースバンドプロセッサは、ＣＲＳの緩和が前記１つ以上のサブフレームに対して検出されたときに、ＣＲＳ信号を有する物理リソースブロック（ＰＲＢ）のみを用いて、隣接セル上で無線リンクモニタリング（ＲＬＭ）を実行するものである、請求項１から１５のいずれか一項に記載の装置。
【請求項１７】
ネットワークのセルが、前記セルによって送信される１つ以上のサブフレームでセル固有参照信号（ＣＲＳ）を使用することができるかどうかについてユーザ機器（ＵＥ）に指示を送信するための１つ以上のベースバンドプロセッサと、
前記指示を記憶するメモリと、
を備える、発展型ＮｏｄｅＢ（ｅＮＢ）の装置。
【請求項１８】
前記セルが、サービングセル又は隣接セルを含む、請求項１７に記載の装置。
【請求項１９】
前記指示は、無線リソース制御（ＲＣＣ）シグナリング経由を含む半静的方法で前記ＵＥに送信され、前記１つ以上のベースバンドプロセッサは、ＣＲＳ送信を動的にオンに切り替えるか又はオフに切り替えるものである、請求項１７から１８のいずれか一項に記載の装置。
【請求項２０】
前記指示は、下りリンク制御情報（ＤＣＩ）経由を含む動的な方法で前記ＵＥに送信され、前記指示は、ＣＲＳの緩和が適用される前記正確なリソース、及びＣＲＳの緩和が適用される前記１つ以上のサブフレームのセットに関する情報を含む、請求項１７から１８のいずれか一項に記載の装置。
【請求項２１】
前記指示が、イベントの前のウォームアップサブフレームの最大数、又はイベント後のクールダウンサブフレームの最大数を含み、ウォームアップサブフレーム及びクールサブフレームは、全帯域幅ＣＲＳサブフレームを含む、請求項１７から１８のいずれか一項に記載の装置。
【請求項２２】
前記イベントが、ページング機会、ＳＩ読み取りウィンドウ、拡張間欠受信（ｅＤＲＸ）中のページング送信ウィンドウ、前記ＵＥの接続ＤＲＸ（Ｃ−ＤＲＸ）のアクティブ時間、位置決定参照信号（ＰＲＳ）送信、ランダムアクセスチャネル（ＲＡＣＨ）機会、若しくはスケジューリング要求送信、又はそれらの組み合わせを含む、請求項２１に記載の装置。
【請求項２３】
前記指示が、専用の無線リソース制御（ＲＲＣ）シグナリングによって、又はシステム情報ブロック（ＳＩＢ）でブロードキャストすることによって送信される、請求項１７から２２のいずれか一項に記載の装置。
【請求項２４】
命令を有する１つ以上の機械可読媒体であって、前記命令がユーザ機器（ＵＥ）の装置によって実行されると、
ネットワークのセルから１つ以上のサブフレームを受信し、
セル固有参照信号（ＣＲＳ）の緩和が前記セルによって使用されるかどうかを判定するために、前記１つ以上のサブフレーム内のＣＲＳ送信パターンを検出し、
ＣＲＳの緩和が使用されるときに、前記１つ以上のサブフレームの処理を調整することになる、命令を有する１つ以上の機械可読媒体。
【請求項２５】
前記セルが、サービングセル又は隣接セルを含む、請求項２４に記載の１つ以上の機械可読媒体。
【請求項２６】
前記命令は、実行されると、更に、ＣＲＳの緩和が使用されるときに無線リソース管理（ＲＲＭ）手順又は復調手順を調整することになる、請求項２４から２５のいずれか一項に記載の１つ以上の機械可読媒体。
【請求項２７】
前記命令は、実行されると、更に、
物理リソースブロック（ＰＲＢ）の中央セット（ＲＳＲＰ＿ＩＮ）上のＣＲＳ参照信号受信電力（ＲＳＲＰ）を推定し、前記１つ以上のサブフレームのＰＲＢの外側セット（ＲＳＲＰ＿ＯＵＴ）上のＣＲＳ  ＲＳＲＰを推定し、
ＲＳＲＰ＿ＩＮがＲＳＲＰ＿ＯＵＴ及びマージンを超えている場合に、ＣＲＳの緩和が前記セルによって使用されることを判定することによって、ＣＲＳの緩和が前記セルによって使用されるかどうかを判定することになる、請求項２４から２６のいずれか一項に記載の１つ以上の機械可読媒体。
【請求項２８】
命令を有する１つ以上の機械可読媒体であって、前記命令が、発展型ＮｏｄｅＢ（ｅＮＢ）の装置によって実行されると、
ネットワークのセルが、前記セルによって送信される１つ以上のサブフレーム上でセル固有参照信号（ＣＲＳ）の緩和を使用することができるかどうかのユーザ機器（ＵＥ）への指示を符号化し、
専用の無線リソース制御（ＲＲＣ）シグナリングによって、又はシステム情報ブロック（ＳＩＢ）でブロードキャストすることによって、前記ＵＥに前記指示を送信することになる、１つ以上の機械可読媒体。
【請求項２９】
前記指示が、半静的に前記ＵＥに送信され、前記命令は、実行されると、更に、ＣＲＳ送信を動的にオンに切り替えるか又はオフに切り替えることになる、請求項２８に記載の１つ以上の機械可読媒体。
【請求項３０】
前記指示は、下りリンク制御情報（ＤＣＩ）経由を含む動的な方法で前記ＵＥに送信され、前記指示は、ＣＲＳの緩和が適用される前記正確なリソース、及びＣＲＳの緩和が適用される前記１つ以上のサブフレームのセットに関する情報を含む、請求項２８から２９のいずれか一項に記載の１つ以上の機械可読媒体。
【発明の詳細な説明】
【関連出願の相互参照】
【０００１】
本出願は、２０１７年８月１１日に出願された米国仮出願第６２／５４４，２６０号（ＡＡ２９５２−Ｚ）の利益、及び２０１７年１１月１７日に出願された米国仮出願第６２／５８７，９１７号の利益を主張する。当該出願第６２／５４４，２６０号及び当該出願第６２／５８７，９１７号は、その全体が参照により本明細書に組み込まれる。
【背景技術】
【０００２】
ネットワークベースのセル固有参照信号（ＣＲＳ）の緩和機能は、ＬＴＥ（Ｌｏｎｇ−Ｔｅｒｍ  Ｅｖｏｌｕｔｉｏｎ）規格の第３世代パートナーシッププロジェクト（３ＧＰＰ）リリース１５に導入されるように計画されている。ネットワークベースのＣＲＳの緩和の一般的な考え方は、発展型ＮｏｄｅＢ（ｅＮＢ）がサブフレームの全て又はサブセットにおける物理リソースブロック（ＰＲＢ）のサブセット内のＣＲＳ信号送信をオフに切り替えたり、ミュートしたりすることを可能にすることである。ＣＲＳのミューティングの基準はまだ決定されておらず、ＣＲＳの送信のオン又はオフを切り替える決断は、ｅＮＢに委ねられると予想されている。
【０００３】
しかし、ネットワークベースのＣＲＳの緩和を導入する場合、ユーザ機器（ＵＥ）デバイスでの無線リソース管理（ＲＲＭ）及び復調性能にある程度の影響があることがある。例えば、隣接セルがＣＲＳのミューティングを適用し、ＵＥがこれに関する情報を有しない場合は、以下の影響が予想され得る。第１に、参照信号受信電力（ＲＳＲＰ）測定の精度は、ＵＥが広帯域ＲＳＲＰ測定を実行する場合には、かなり劣化することがある。第２に、セル固有参照信号干渉緩和（ＣＲＳ−ＩＭ）は、電力消費に対する悪影響を含むＵＥ実装に応じて、高度な受信機の性能に悪影響を及ぼすことに加えて、悪影響を受けることがある。
【図面の簡単な説明】
【０００４】
請求項に記載された主題は、詳細に、本明細書の結論付け部分において指摘され、明確に特許請求される。しかし、このような主題は、添付の図面を用いて読むと、以下の詳細な説明を参照することによって理解することができる。
【図１】１つ以上の実施形態に係るセル固有参照信号（ＣＲＳ）の緩和を実施することが可能なネットワークの図である。
【図２Ａ】１つ以上の実施形態に係る、それぞれ、ＣＲＳの緩和をオフした、及び、ＣＲＳの緩和をオンしたＣＲＳ信号送信パターンの図である。
【図２Ｂ】１つ以上の実施形態に係る、それぞれ、ＣＲＳの緩和をオフした、及び、ＣＲＳの緩和をオンしたＣＲＳ信号送信パターンの図である。
【図３】１つ以上の実施形態に係る自律的隣接セルＣＲＳ送信パターン検出の図である。
【図４】１つ以上の実施形態に係る、ネットワーク制御されたＣＲＳミューティングを通知するためにｅＮＢシグナリングが使用される場合のユーザ機器（ＵＥ）の挙動の図である。
【図５】ネットワーク制御されたＣＲＳパターン自律的検出が常にアクティブ化されている場合のユーザ機器（ＵＥ）の挙動の図である。
【図６】いくつかの実施形態に係る、ネットワークのシステムのアーキテクチャを示す。
【図７】いくつかの実施形態に係るデバイスの例示の構成要素を示す。
【図８】いくつかの実施形態によるベースバンド回路の例示的なインターフェースを示す。
【０００５】
図示の簡潔性及び明瞭性のために、図に示す要素は必ずしも縮尺どおりに描かれていないことが理解されるであろう。例えば、いくつかの要素の寸法は、明瞭性のため、他の要素に対して誇張される場合がある。更に、適切であると考えられる場合、参照番号は、対応する要素及び／又は類似の要素を示すために図面の中で繰り返されている。
【発明を実施するための形態】
【０００６】
以下の詳細な説明において、請求項に記載された主題の完全な理解を提供するために、数多くの具体的な詳細を説明する。しかし、請求項に記載された主題は、これらの具体的な詳細を伴わずとも実施され得ることを、当業者は理解するであろう。他の例では、周知の方法、手順、構成要素、及び／又は回路は、詳細に説明されていない。
【０００７】
ここで図１を参照して、１つ以上の実施形態に係るセル固有参照信号（ＣＲＳ）の緩和を実施することが可能なネットワークの図について議論する。図１に示すように、ネットワーク１００は、ユーザ機器（ＵＥ）１１０のための第１のサービングセルを提供することができる発展型ＮｏｄｅＢ（ｅＮＢ）１１２と、隣接セルを実装するための隣接するｅＮＢ１１４と、を備えることができる。ネットワークベースのＣＲＳの緩和では、ｅＮＢ１１２は、ＵＥ１１０によって受信されるＣＲＳ信号パターン１１６を送信することができ、ＣＲＳの緩和はオンであってもよいし、ＣＲＳの緩和がオフであってもよい。同様に、隣接するｅＮＢ１１４は、ＵＥ１１０によって受信され得るＣＲＳ信号パターン１１８を送信することができ、ＣＲＳの緩和はオンであってもよいし、ＣＲＳの緩和がオフであってもよい。
【０００８】
ＵＥ１１０の性能に対する悪影響を回避するために、ＵＥ１１０は、サービングセル及び／又は１つ以上の隣接セルがネットワークベースのＣＲＳの緩和を使用しているかどうかの情報を持つべきである。本明細書で更に詳細に議論するように、いくつかの実施形態では、ＵＥは、ネットワーク１００がネットワークベースのＣＲＳの緩和を使用しているかどうかを判定するために、自律的検出又は自己検出を使用してもよい。このような実施形態では、ＵＥ１１０は、ネットワーク支援のオーバーヘッドを回避するために、サービングセル及び／又は１つ以上の隣接セル内の使用又はネットワークベースのＣＲＳの緩和の動的追跡をサポートしてもよい。他の実施形態では、ネットワーク支援プロセスを利用して、ネットワークベースのＣＲＳの緩和の検出を有効化又は無効化することができる。更なる実施形態では、ＵＥ１１０は、サービングセル及び／又は１つ以上の隣接セルにおいて使用されるＣＲＳミューティングからの悪影響を回避するために、受信機復調及び／又は１つ以上の無線リソース管理（ＲＲＭ）アルゴリズムを調整してもよい。このような実施形態は、ＵＥによるより単純な実装を可能にし、ＵＥがその挙動を最適化し、その性能を向上させることを可能にすることがある。以下に、ＣＲＳの緩和をオフにする、かつＣＲＳの緩和をオンにするＣＲＳ信号パターンの例を、図２Ａ及び図２Ｂの中に示し、それらに対して説明する。
【０００９】
ここで図２Ａ及び図２Ｂを参照して、１つ以上の実施形態に係る、それぞれＣＲＳの緩和をオフした、かつＣＲＳの緩和をオンしたＣＲＳ信号送信パターンの図について議論する。図２Ａに示すように、例示的なサブフレーム２００は、サブフレーム２００の中央６個のＰＲＢ２１２及び外側ＰＲＢ２１４内にＣＲＳ信号２１０を有することを含むスロット０及びスロット１の中のサブフレーム２００の物理リソースブロック（ＰＲＢ）全体にわたって分散したいくつかのＣＲＳ信号２１０を含み得る。サブフレーム２００内のＣＲＳ信号２１０のパターンは、ＣＲＳの緩和がオフである標準的なＣＲＳパターンであってもよい。
【００１０】
図２Ａに示すように、例示的なサブフレーム２０２は、サブフレーム２０２の物理リソースブロック（ＰＲＢ）全体にわたって分散したいくつかのＣＲＳ信号２１０を含み得る。サブフレーム２００内のＣＲＳ信号２１０のパターンは、ＣＲＳの緩和がオンであるパターンであってもよい。ＣＲＳの緩和がオンであるこのような例示的な構成では、サブフレーム２０２の外側ＰＲＢ２１４にはＣＲＳ信号２１０が存在しない。ＣＲＳの緩和では、ＣＲＳ送信は、典型的に無線リソース管理（ＲＲＭ）関連手順、例えば参照信号受信電力（ＲＳＲＰ）測定に使用される中央６個のＰＲＢ２１２を除いて、全てのＰＲＢにおいてミュートされ得る。したがって、サービングセルによって又は隣接セルによって送信されるＣＲＳ信号のパターンは、図２Ａのサブフレーム２００の例が示すようにＣＲＳの緩和をオンさせてもよいし、図２Ｂのサブフレーム２０２の例が示すようにＣＲＳの緩和をオフにさせてもよい。以下の実施形態は、ＵＥ１１０がＣＲＳの緩和がオンであるか、それともオフであるかどうかの見識を得ることができる様々な手順について議論する。
【００１１】
ここで図３を参照して、１つ以上の実施形態に係る自律的な隣接セルＣＲＳ送信パターン検出の図について議論する。図３に示すように、ネットワーク１００のセルによって利用されるネットワークベースのＣＲＳの緩和の検出のためのプロセス３００が、ＵＥ１１０によって自律的に実行されてもよい。ＵＥ１１０は、隣接セル（ＮＣ）又はサービングセル（ＳＣ）によって利用されるＣＲＳ信号送信パターンの自律的検出を実行することができ、これは自己検出とも称される場合がある。ＵＥ１１０は、ＮＣ  ＣＲＳ受信信号処理又はＳＣ  ＣＲＳ受信信号処理を用いて、ＮＣ  ＣＲＳ送信パターン又はＳＣ  ＣＲＳ送信パターンを検出し、ネットワークベースのＣＲＳの緩和が、特定のサブフレーム内又はサブフレームのセットにおいて、隣接セル又はサービングセル内で使用されるかどうかを決断する。
【００１２】
一実施形態では、動作３１０において、ＵＥ１１０は、中央６個のＰＲＢ２１２と外側ＰＲＢ２１４のＣＲＳ参照信号受信電力（ＲＳＲＰ）の比較を実行する。ＵＥは中央６個のＰＲＢ２１２内のＣＲＳ  ＲＳＲＰ、例えばＲＳＲＰ＿ＩＮを推定し、ＵＥ１１０は外側ＰＲＢ２１４内でＣＲＳ  ＲＳＲＰ、例えばＲＳＲＰ＿ＯＵＴを推定する。第１の選択肢では、推定が行われる外側ＰＲＢ２１４のセットは、中央６個のＰＲＢ２１４を含まない。第２の選択肢では、外側ＰＲＢ２１４のセットは、広帯域ＲＳＲＰ測定として全てのＰＲＢを含む。動作３１２では、ＵＥ１１０は、ＲＳＲＰ比較に基づいてネットワークベースのＣＲＳの緩和が適用されるかどうかの決断を行う。ＲＳＲＰ＿ＩＮがＲＳＲＰ＿ＯＵＴ＋ＸｄＢより大きいかどうかを決断ブロック３１４で判定を行うことができる。ＸｄＢのマージンは、ネットワークベースのＣＲＳの緩和の誤検出を回避するために使用される。判定が真（ＹＥＳ）であれば、ＵＥ１１０はその後、動作３１６において、隣接セルのネットワークベースの緩和がオンであると判定する。そうでなければ、判定が偽（ＮＯ）であれば、ＵＥ１１０は、動作３１８において、隣接セルのネットワークベースの緩和がオフであると判定する。プロセス３００が隣接セル又はｅＮＢ１１４によって送信される１つ以上のサブフレームに適用されてもよく、またＰＲＢ毎のＣＲＳ存在検出に拡張されてもよいことに留意されたい。
【００１３】
別の実施形態では、周波数領域内の信号に対して相互相関又は部分相関を実行してもよい。本実施形態では、ＵＥ１１０は、周波数領域内の信号を受信し、周波数領域内のＣＲＳ信号を再構成する。測定動作はセル識別及び／又は検出の後であるため、ターゲットセルの物理セル識別子（ＰＣＩ）情報は、ＵＥ１１０によって既に知られており、ＵＥ１１０はＣＲＳ信号を再構成することができる。
【００１４】
再構成は、以下のとおり行うことができる。ＵＥ１１０は、ターゲットＰＣＩによって導出されるＣＲＳシーケンスを生成し、次いで、このシーケンスを周波数領域信号にマッピングする。２種類の信号を考慮することができる。ＣＲＳ信号１については、外側ＰＲＢ２１４に対して、すなわち、中央６個のＰＲＢ２１２を除いて全てのＰＲＢに対して信号を生成することができる。中央６個のＰＲＢ２１２に対応する信号は、ヌリングされるか、又はパンクチャされる。ＣＲＳ信号２については、ＣＲＳ信号が全帯域幅に対して生成される。ＵＥ１１０の挙動を、２つの選択肢に分割することができる。
【００１５】
第１の選択肢では、ＵＥ１１０は、再構成されたＣＲＳ信号１を使用し、修正された受信信号との相互相関又は部分相関を実行する。修正された受信信号は、ヌリングされた中央６個のＰＲＢ２１２を有する受信信号である。相互相関ピークが見つかる場合には、ＣＲＳ信号は中央６個のＰＲＢ２１２の外側に存在する。第２の選択肢では、ＵＥ１１０は、再構成されたＣＲＳ信号２を使用し、完全受信信号との相互相関又は部分相関を実行する。相互相関ピークが見つかり、かつそれが閾値を上回っている場合、ＣＲＳ信号は中央６個のＰＲＢ２１２の外側に存在する。相関プロセスのいくつかの特定の実施形態は、相互相関を適用する前の時間オフセット補償を含み得る。
【００１６】
更に別の実施形態では、時間領域内の信号の相互相関を実行してもよい。ＵＥ１１０は、時間領域内の信号を受信し、時間領域内のＣＲＳ信号を再構成する。時間領域の実施形態は、上記の周波数領域の実施形態と実質的に同様であるが、ただし、相互相関が時間領域信号に対して行われ、再構成されたＣＲＳ信号は、時間領域に変換される。いくつかの特定の実施形態では、異なる隣接セル及び／又はサービングセルに対して別々に検出を行うことができる。キャリアアグリゲーション（ＣＡ）動作の場合には、検出も異なるコンポーネントキャリアに対して別々に行われてもよい。ＵＥ１１０による自律的検出を、各サブフレームに、又はサブフレームのサブセットに、例えば、Ｎ番目毎のサブフレームに実行してもよい。
【００１７】
ここで図４及び図５を参照して、ネットワーク制御されたパターン自律的検出が常にアクティブ化された場合、ｅＮＢシグナリングを使用してネットワーク制御されたＣＲＳミューティングを通知するときのユーザ機器（ＵＥ）の挙動の図について、１つ以上の実施形態にしたがって議論する。ＣＲＳの緩和検出の別の実施形態は、セル固有参照信号干渉緩和（ＣＲＳ−ＩＭ）のためのネットワーク支援を対象とすることができる。一般的な場合、全てのネットワークがネットワークベースのＣＲＳの緩和を使用しているわけではなく、したがって、全ての状況下でＵＥ１１０側での隣接セル（ＮＣ）又はサービングセル（ＳＣ）のＣＲＳ送信パターンの自律的検出を使用することは、妥当ではない場合があり、追加の電力消費及び処理複雑性を暗に示す場合がある。したがって、プロセス４００に示すように、ｅＮＢ１１２又はｅＮＢ１１４のようなｅＮＢは、隣接セル又はサービングセルがネットワークベースのＣＲＳの緩和を使用しているかどうかの情報をＵＥ１０に指示することができる。例えば、図４に示すように、ｅＮＢは、動作４１０でｅＮＢシグナリングを使用して、動作４１２で、ネットワークベースのＣＲＳ−ＩＭが、例えば、隣接セル又はサービングセルで使用され得ることをＵＥ１１０に通知したり、動作４１４でネットワークベースのＣＲＳ−ＩＭが使用されないことをＵＥ１１０に通知したりする。
【００１８】
第１の選択肢では、そのような情報は、例えば、無線リソース制御（ＲＲＣ）シグナリングを介して半静的方法で提供することができる。ｅＮＢは、ネットワークベースのＣＲＳの緩和を使用できる可能性を指示する。ｅＮＢは、その決断に基づいて、ＣＲＳ送信をオンにするか、又はオフにするかを動的に切り替えることができる。ｅＮＢはまた、ＣＲＳのミューティングが使用されることを保証しない場合がある。ｅＮＢは、例えば、サブフレームのサブセット又はサブフレームのパターン内でＣＲＳミューティングが使用される、又は潜在的に使用され得るリソースのセットに関する情報を提供することができる。ｅＮＢが動作４１４でネットワークベースのＣＲＳの緩和が使用されないことをＵＥ１１０に通知すると、ＵＥ１１０は動作４１８で旧来又は従来の手順、例えば従来の無線リソース管理（ＲＲＭ）及び／又は復調を用いる。ｅＮＢがネットワークベースのＣＲＳの緩和を使用できることを動作４１２でＵＥ１１０に通知すると、ＵＥ１１０はサービングセル若しくは１つ以上の隣接セルのいずれかの自律的検出プロセス又はパターン検出器４１６をアクティブ化することができる。ＵＥ１１０はネットワークベースのＣＲＳの緩和が使用されることを想定することができ、広帯域ＣＲＳ信号があることを想定して、その挙動を調整することができる。動作４２０で隣接セルネットワークベースのＣＲＳ−ＩＭがオフになった場合、ＵＥ１１０は、動作４１８で旧来又は従来の手順、例えば従来の無線リソース管理（ＲＲＭ）及び／又は復調を用いる。
【００１９】
第２の選択肢では、隣接セル又はサービングセルのＣＲＳミューティングに関する情報を動的な方法で提供することができる。ｅＮＢは、ＣＲＳミューティングがネットワーク１００によって使用されるであろう正確なセットリソースをＵＥ１１０に通知することができる。ｅＮＢは、ミューティングが適用されるサブフレームのセットをＵＥ１１０に通知することができる。ｅＮＢシグナリングを、周期的に、例えば、Ｘ個のサブフレーム数毎にＵＥ１１０に提供してもよい。ｅＮＢシグナリング４１０を、下りリンク制御情報（ＤＣＩ）で提供してもよい。ＵＥ１１０は、指示されたリソースに対してＣＲＳパターン検出をアクティブ化する必要がなく、ＣＲＳミューティングがこれらのサブフレームに適用されると想定してもよい。したがって、ｅＮＢシグナリング４１０は、隣接セル毎に、又はコンポーネントキャリア（ＣＣ）毎に、かつ隣接セル毎に提供されてもよい。共通のシグナリングは、全ての隣接セルに適用可能であってもよく、また、シグナリングもサービングセルに対して提供されてもよい。
【００２０】
ｅＮＢはまた、ネットワーク１００で使用されるＣＲＳミューティングパラメータをＵＥ１１０に通知することもできる。ｅＮＢは、ＵＥ１１０に、特定のイベントのセットの前に／又は後にネットワーク１００によって保証されるウォームアップサブフレーム及びクールダウンサブフレームの最大量を通知することができる。ウォームアップサブフレームは、イベントの前の全帯域幅ＣＲＳを有するサブフレームである。クールダウンサブフレームは、イベント後の全帯域幅ＣＲＳを有するサブフレームである。イベントは、ページング機会（ＩＤＬＥ、接続）、システム情報（ＳＩ）読み取りウィンドウ、拡張間欠受信（ｅＤＲＸ）中のページング送信ウィンドウ（ＰＴＷ）、ＵＥの接続ＤＲＸ（Ｃ−ＤＲＸ）のアクティブ時間、位置決定参照信号（ＰＲＳ）送信、ランダムアクセスチャネル（ＲＡＣＨ）応答（ＲＡＲ）ウィンドウを含むＲＡＣＨ機会、及び／又はスケジューリング要求送信のうちの任意の１つ以上を含むことができる。
【００２１】
ＣＲＳミューティングパターンのｅＮＢシグナリング４１０は、全てのイベントに対して共同で、又は異なるイベントに対して別々に提供されてもよい。ｅＮＢシグナリング４１０は、専用のＲＲＣシグナリングによって、又は例えばシステム情報ブロック（ＳＩＢ）でブロードキャストすることによって、搬送することができる。ウォームアップサブフレーム及びクールダウンサブフレームの最大量は、シグナリングのセットＩＤに関連付けられてもよく、すなわち、セットＩＤは、ウォームアップサブフレーム及びクールダウンサブフレームの所定の最大量に関連付けられてもよい。ＵＥ１１０は、ｅＮＢからのＣＲＳミューティングの情報、例えば、ＣＲＳミューティングが使用されているか否か、又は、特定のイベントのセットの前にネットワーク１００によって保証されるウォームアップサブフレーム及びクールダウンサブフレームの最大量はどのくらいかの要求を要求することができる。ｅＮＢシグナリング４１０を、サービングセル及び／又は１つ以上の隣接セルに提供してもよい。
【００２２】
更なる実施形態は、１つ以上の隣接セルによって使用されるネットワークベースのＣＲＳの緩和を取り扱うためのＵＥ１１０の挙動を対象とすることができる。隣接セルがＣＲＳ信号送信パターンを変更する、すなわち、隣接セルがネットワークベースのＣＲＳの緩和を使用するという情報をＵＥ１１０が取得すると、ＵＥ１１０の挙動は、ＣＲＳミューティングに対するロバスト性を向上させるために以下のように調整されてもよい。隣接セルがネットワークベースのＣＲＳの緩和を使用する場合、例えば、動作４２２と同じように、その使用がＵＥ１１０によって検出される場合、ＵＥ１１０は、ＲＲＭ及び／又は復調調整などの隣接セルＣＲＳ処理に関する最適化された受信処理手順を使用することができる。動作４２４では、ＵＥ１１０は、隣接セルＣＲＳ干渉緩和のための受信機アルゴリズムを調整することができる。例えば、ＵＥは、隣接セルＣＲＳ干渉を伴わずに、ＰＲＢ内の動作４２６におけるＣＲＳ−ＩＭ処理を部分的に又は完全にオフにしてもよいし、ＣＲＳ−ＩＭを完全に無効化してもよい。ＣＲＳ−ＩＭマットが、ＤＬ制御チャネルＩＭタイプＡ／Ｂ受信機による物理下りリンク共用チャネル（ＰＤＳＣＨ）及び下りリンク（ＤＬ）制御チャネル処理に適用されることに留意されたい。ネットワーク支援型干渉除去及び抑制（ＮＡＩＣＳ）及びＤＬ制御チャネルＩＭタイプＡ／Ｂなどの他の受信機の挙動も、ＣＲＳ干渉が存在しない、例えば、ＮＡＩＣＳ処理をオフに切り替えてもよいＰＲＢに対して調整されてもよい。
【００２３】
ＵＥ１１０は、動作４２８において、中央６個のＰＲＢなどのＣＲＳ送信のみを有するＰＲＢを用いて、参照信号受信電力（ＲＳＲＰ）又は参照信号受信品質（ＲＳＲＱ）などの隣接セル無線リソース管理（ＲＲＭ）ＲＲＭ測定を実行することができる。ＵＥ１１０は、隣接セルＣＲＳ送信のみを有するＰＲＢを用いて、無線リンクモニタリング（ＲＬＭ）を実行することができる。ＵＥ１１０は、中央６個のＰＲＢ２１２内のＣＲＳを用いて、隣接セル信号の時間及び／又は周波数推定を実行することができる。
【００２４】
隣接セルがネットワークベースのＣＲＳの緩和を使用しない、例えば、動作４２０でネットワークベースのＣＲＳの緩和が検出されない、又はオフである場合、ＵＥ１１０は、隣接セルＣＲＳ処理に関連する動作４１８において、復調及び／又はＲＲＭなどの旧来又は従来の受信処理を使用することができる。可能性のあるネットワーク支援を考慮に入れて、以下のＵＥ挙動を検討してもよい。ＵＥ１１０の第１の挙動は、図４のプロセス４００を用いて実行することができ、ＵＥ１１０は、ネットワークベースのＣＲＳの緩和を使用できるという情報のｅＮＢシグナリング４１０の後に自律的検出をアクティブ化する。ＵＥ１００の第２の挙動は、図５のプロセス５００を用いて実行することができ、ＵＥ１１０は常に自律的検出を適用する。
【００２５】
図６は、いくつかの実施形態に係る、ネットワークのシステム６００のアーキテクチャを示す。システム６００は、図示するように、ユーザ機器（ＵＥ）６０１及びＵＥ６０２を含む。ＵＥ６０１及びＵＥ６０２は、スマートフォン（例えば、１つ以上のセルラネットワークに接続可能なハンドヘルド型タッチスクリーンモバイルコンピューティングデバイス）として図示されているが、携帯情報端末（ＰＤＡ）、ページャ、ラップトップコンピュータ、デスクトップコンピュータ、無線ハンドセット、又は無線通信インターフェースを含む任意のコンピューティングデバイスなどの任意のモバイル又は非モバイルコンピューティングデバイスを含んでもよい。
【００２６】
いくつかの実施形態では、ＵＥ６０１及びＵＥ６０２のいずれかは、ＩｏＴ（Ｉｎｔｅｒｎｅｔ  ｏｆ  Ｔｈｉｎｇｓ）ＵＥを含むことができ、それは、短期ＵＥ接続を利用する低電力ＩｏＴアプリケーション用に設計されたネットワークアクセスレイヤを含み得る。ＩｏＴ  ＵＥは、ＰＬＭＮ（パブリックランドモバイルネットワーク）、ＰｒｏＳｅ（Ｐｒｏｘｉｍｉｔｙ−Ｂａｓｅｄ  Ｓｅｒｖｉｃｅ）又はＤ２Ｄ（ｄｅｖｉｃｅ−ｔｏ−ｄｅｖｉｃｅ）通信、センサネットワーク、又はＩｏＴネットワークを介して、ＭＴＣ（ｍａｃｈｉｎｅ−ｔｙｐｅ  ｃｏｍｍｕｎｉｃａｔｉｏｎ）サーバ若しくはデバイスとデータを交換するためのＭ２Ｍ（ｍａｃｈｉｎｅ−ｔｏ−ｍａｃｈｉｎｅ）又はＭＴＣなどの技術を利用することができる。Ｍ２Ｍ又はＭＴＣデータ交換は、データの機械起動の交換であってもよい。ＩｏＴネットワークは、相互に接続するＩｏＴ  ＵＥを記載し、それは、短期接続による、（インターネットインフラストラクチャ内の）一意に識別可能な埋め込み型コンピューティングデバイスを含み得る。ＩｏＴ  ＵＥは、ＩｏＴネットワークの接続を容易にするために、バックグラウンドアプリケーション（例えば、キープアライブメッセージ、ステータス更新など）を実行してもよい。
【００２７】
ＵＥ６０１及びＵＥ６０２は、無線アクセスネットワーク（ＲＡＮ）６１０と接続する、例えば、通信可能に連結するように構成されてもよく、ＲＡＮ６１０は、例えば、発展型ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）Ｅ−ＵＴＲＡＮ（Ｅｖｏｌｖｅｄ  Ｔｅｒｒｅｓｔｒｉａｌ  Ｒａｄｉｏ  Ａｃｃｅｓｓ  Ｎｅｔｗｏｒｋ）、ＮＧ  ＲＡＮ（ＮｅｘｔＧｅｎ  ＲＡＮ）、又はいくつかの他のタイプのＲＡＮであってもよい。ＵＥ６０１及びＵＥ６０２は、それぞれ接続６０３及び接続６０４を利用し、これらはそれぞれ、物理通信インターフェース又はレイヤ（以下で更に詳細に議論する）を含む。本例では、接続６０３及び接続６０４は、通信可能な連結を可能にするためのエアインターフェースとして図示されており、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）プロトコル、ＣＤＭＡ（ｃｏｄｅ−ｄｉｖｉｓｉｏｎ  ｍｕｌｔｉｐｌｅ  ａｃｃｅｓｓ）ネットワークプロトコル、ＰＴＴ（Ｐｕｓｈ−ｔｏ−Ｔａｌｋ）プロトコル、ＰＯＣ（ＰＴＴ  ｏｖｅｒ  Ｃｅｌｌｕｌａｒ）プロトコル、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）プロトコル、３ＧＰＰ  ＬＴＥ（Ｌｏｎｇ  Ｔｅｒｍ  Ｅｖｏｌｕｔｉｏｎ）プロトコル、５Ｇ（第５世代）プロトコル、ＮＲ（新しい無線）プロトコルなどのセルラ通信プロトコルと合致することができる。
【００２８】
本実施形態では、ＵＥ６０１及びＵＥ６０２は、更に、ＰｒｏＳｅインターフェース６０５を介して通信データを直接交換することができる。ＰｒｏＳｅインターフェース６０５は、代替的に、サイドリンクインターフェースと称される場合があり、限定されないが、物理サイドリンク制御チャネル（ＰＳＣＣＨ）、物理サイドリンク共用チャネル（ＰＳＳＣＨ）、物理サイドリンクディスカバリーチャネル（ＰＳＤＣＨ）、及び物理サイドリンクブロードキャストチャネル（ＰＳＢＣＨ）を含む、１つ以上の論理チャネルを備える。
【００２９】
ＵＥ６０２は、図示するように、接続６０７を介してアクセスポイント（ＡＰ）６０６にアクセスするように構成される。接続６０７は、任意のＩＥＥＥ８０２．１１プロトコルと合致する接続などのローカルワイヤレス接続を含むことができ、ＡＰ６０６は、ＷｉＦｉ（Ｗｉｒｅｌｅｓｓ  Ｆｉｄｅｌｉｔｙ）（登録商標）ルータを備えるであろう。本例では、ＡＰ６０６は、図示するように、ワイヤレスシステムのコアネットワークに接続せずにインターネットに接続される（以下で更に詳細に説明する）。
【００３０】
ＲＡＮ６１０は、接続６０３及び接続６０４を可能にする１つ以上のアクセスノードを含むことができる。これらのアクセスノード（ＡＮ）は、基地局（ＢＳ）、ＮｏｄｅＢ、発展型ＮｏｄｅＢ（ｅＮＢ）、次世代ＮｏｄｅＢ（ｇＮＢ）、ＲＡＮノードなどと称される場合があり、地理的エリア（例えば、セル）内にカバレッジを提供する地上局（例えば、地上アクセスポイント）又はサテライト局を備えることができる。ＲＡＮ６１０は、マクロセル、例えば、マクロＲＡＮノード６１１を提供するための１つ以上のＲＡＮノードと、フェムトセル又はピコセル（例えば、マクロセルと比較して、より小さいカバレージエリア、より小さいユーザ容量、又はより高い帯域幅を有するセル）例えば、低電力（ＬＰ）ノード６１２を提供するための１つ以上のＲＡＮノードと、を含んでもよい。
【００３１】
ＲＡＮノード６１１及びＲＡＮノード６１２のいずれかは、エアインターフェースプロトコルを終了することができ、ＵＥ６０１及びＵＥ６０２の第１の接触点とすることができる。いくつかの実施形態では、ＲＡＮノード６１１及びＲＡＮノード６１２のいずれも、ＲＡＮ６１０のための様々な論理機能を果たすことができ、その機能は、限定されないが、無線ベアラ管理、上りリンク及び下りリンク動的無線リソース管理、並びにデータパケットスケジューリング、並びにモビリティ管理などの無線ネットワークコントローラ（ＲＮＣ）機能を含む。
【００３２】
いくつかの実施形態によれば、ＵＥ６０１及びＵＥ６０２は、様々な通信技術に従ったマルチキャリア通信チャネルにより、直交周波数分割多重（ＯＦＤＭ）通信信号を用いて、互いに又はＲＡＮノード６１１及び６１２のいずれかと通信するように構成することができ、この様々な通信技術は、例えば、（例えば、下りリンク通信用の）直交周波数分割多元接続（ＯＦＤＭＡ）通信技術、又は（例えば、上りリンク及びＰｒｏＳｅ又はサイドリンク通信用の）シングルキャリア周波数分割多元接続（ＳＣ−ＦＤＭＡ）通信技術であるが、これらに限定されず、実施形態の範囲は、この点において限定されない。ＯＦＤＭ信号は、複数の直交サブキャリアを含むことができる。
【００３３】
いくつかの実施形態では、下りリンクリソースグリッドは、ＲＡＮノード６１１及びＲＡＮノード６１２のいずれかからＵＥ６０１及びＵＥ６０２に下りリンク送信のために使用することができ、上りリンク送信は同様の技術を利用することができる。グリッドは、リソースグリッド又は時間周波数リソースグリッドと呼ばれる時間周波数グリッドとすることができ、それは、各スロット内の下りリンクの物理的リソースである。このような時間−周波数平面表現は、ＯＦＤＭシステムの一般的な慣習であり、それは無線リソース割り当ての直感的なものにする。リソースグリッドの各列及び各行は、それぞれ、１つのＯＦＤＭシンボル及び１つのＯＦＤＭサブキャリアに対応する。時間領域内のリソースグリッドの持続時間は、無線フレーム内の１つのスロットに対応する。リソースグリッドの最小時間周波数単位は、リソースエレメントと表記する。各リソースグリッドは、多数のリソースブロックを含み、それは、リソースエレメントへの特定の物理チャネルのマッピングを説明する。各リソースブロックは、リソースエレメントの集合を含み、周波数領域において、これは、現在割り当てられ得るリソースの最小量を表すことができる。このようなリソースブロックを用いて伝達されるいくつかの異なる物理下りリンクチャネルが存在する。
【００３４】
物理下りリンク共用チャネル（ＰＤＳＣＨ）は、ユーザデータ及び上位レイヤシグナリングをＵＥ６０１及びＵＥ６０２に搬送することができる。物理下りリンク制御チャネル（ＰＤＣＣＨ）は、とりわけ、ＰＤＳＣＨチャネルに関するトランスポートフォーマット及びリソース割り当てに関する情報を搬送することができる。また、それは、上りリンク共用チャネルに関するトランスポートフォーマット、リソース割り当て、及びＨ−ＡＲＱ（ハイブリッド自動再送要求）情報について、ＵＥ６０１及びＵＥ６０２に通知することもできる。典型的には、下りリンクスケジューリング（制御及び共有チャネルリソースブロックをセル内のＵＥ１０２に割り当てる）は、ＵＥ６０１及びＵＥ６０２のいずれかからフィードバックされるチャネル品質情報に基づいて、ＲＡＮノード６１１及びＲＡＮノード６１２のいずれかで実行されてもよい。下りリンクリソース割り当て情報は、ＵＥ６０１及びＵＥ６０２のそれぞれに対して使用される（例えば、割り当てられた）ＰＤＣＣＨで送信されてもよい。
【００３５】
ＰＤＣＣＨは、制御チャネルエレメント（ＣＣＥ）を使用して制御情報を伝達してもよい。リソースエレメントにマッピングされる前に、ＰＤＣＣＨ複素数値シンボルは最初に、４つの組（quadruplets）に編成されてもよく、その後、レートマッチングのためのサブブロックインターリーバを用いて入れ替えられてもよい。各ＰＤＣＣＨを、これらのＣＣＥのうちの１つ以上を用いて送信してもよく、各ＣＣＥは、リソースエレメントグループ（ＲＥＧ）として知られる４つの物理リソースエレメントの９つのセットに対応することができる。４つの四位相偏移変調（ＱＰＳＫ）シンボルを各ＲＥＧにマッピングしてもよい。ＰＤＣＣＨは、下りリンク制御情報（ＤＣＩ）のサイズ及びチャネル状態に応じて、１つ以上のＣＣＥを用いて送信することができる。異なる数のＣＣＥ（例えば、アグリゲーションレベル、Ｌ＝１、２、４、又は８）を有するＬＴＥに定義される４つ以上の異なるＰＤＣＣＨフォーマットが存在し得る。
【００３６】
いくつかの実施形態は、上記の概念の拡張である制御チャネル情報のためのリソース割り当てのための概念を使用することができる。例えば、いくつかの実施形態は、制御情報送信のためにＰＤＳＣＨリソースを使用する拡張型物理下りリンク制御チャネル（ＥＰＤＣＣＨ）を利用することができる。ＥＰＤＣＣＨを、１つ以上の拡張された制御チャネルエレメント（ＥＣＣＥ）を用いて送信してもよい。上記と同様に、各ＥＣＣＥは、拡張されたリソースエレメントグループ（ＥＲＥＧ）として知られる４つの物理リソースエレメントからなる９つのセットに対応し得る。ＥＣＣＥは、一部の状況では、他の数のＥＲＥＧを有してもよい。
【００３７】
ＲＡＮ６１０は、図示するように、Ｓ１インターフェース６１３を介してコアネットワーク（ＣＮ）６２０に通信可能に連結される。実施形態では、ＣＮ６２０は、発展型パケットコア（ＥＰＣ）ネットワーク、ＮｅｘｔＧｅｎパケットコア（ＮＰＣ）ネットワーク、又は他の何らかのタイプのＣＮであってもよい。本実施形態では、Ｓ１インターフェース６１３は、２つの部分に、すなわち、ＲＡＮノード６１１及び６１２とサービングゲートウェイ（Ｓ−ＧＷ）６２２との間でトラフィックデータを搬送するＳ１−Ｕインターフェース６１４と、ＲＡＮノード６１１及び６１２とＭＭＥ６２１との間でトラフィックデータを搬送するシグナリングインターフェースであるＳ１−モビリティ管理エンティティ（ＭＭＥ）インターフェース６１５と、に分割される。
【００３８】
本実施形態では、ＣＮ６２０は、ＭＭＥ６２１、Ｓ−ＧＷ６２２、パケットデータネットワーク（ＰＤＮ）ゲートウェイ（Ｐ−ＧＷ）６２３、及びホーム加入者サーバ（ＨＳＳ）６２４を備える。ＭＭＥ６２１は、レガシーサービング汎用パケット無線サービス（ＧＰＲＳ）サポートノード（ＳＧＳＮ）の制御面と機能が同様であってもよい。ＭＭＥ６２１は、ゲートウェイ選択及びトラッキングエリアリスト管理などのアクセスのモビリティ態様を管理することができる。ＨＳＳ６２４は、ネットワークユーザのデータベースを備えることができ、それは、ネットワークエンティティの通信セッションの取り扱いをサポートするための加入関連情報を含む。ＣＮ６２０は、モバイル加入者数、機器の容量、ネットワークの組織などに応じて、１つ又はいくつかのＨＳＳ６２４を含んでもよい。例えば、ＨＳＳ６２４は、ルーティング／ローミング、認証、認可、名前／アドレス解決、位置依存性などのためのサポートを提供することができる。
【００３９】
Ｓ−ＧＷ６２２は、ＲＡＮ６１０に対するＳ１インターフェース６１３を終了し、ＲＡＮ６１０とＣＮ６２０との間でデータパケットをルーティングすることができる。加えて、Ｓ−ＧＷ６２２は、ＲＡＮノード間ハンドオーバーのためのローカルモビリティアンカーポイントであってもよく、また、３ＧＰＰ間モビリティのためのアンカーを提供してもよい。他の責任は、合法の傍受、課金、及び一部のポリシー施行を含んでもよい。
【００４０】
Ｐ−ＧＷ６２３は、ＰＤＮに対するＳＧｉインターフェースを終了することができる。Ｐ−ＧＷ６２３は、インターネットプロトコル（ＩＰ）インターフェース６２５を介して、ＥＰＣネットワーク６２３と、アプリケーションサーバ６３０（代替的にアプリケーション機能（ＡＦ）と称される）を含むネットワークなどの外部ネットワークとの間でデータパケットをルーティングすることができる。一般に、アプリケーションサーバ６３０は、ＩＰベアラリソースを、コアネットワーク（例えば、ＵＭＴＳパケットサービス（ＰＳ）ドメイン、ＬＴＥ  ＰＳデータサービスなど）と共に使用するアプリケーションを提供する要素であってもよい。本実施形態では、Ｐ−ＧＷ６２３は、図示するように、ＩＰ通信インターフェース６２５を介してアプリケーションサーバ６３０に通信可能に連結される。アプリケーションサーバ６３０はまた、ＣＮ６２０を介してＵＥ６０１及びＵＥ６０２のために１つ以上の通信サービス（例えば、ボイスオーバーインターネットプロトコル（ＶｏＩＰ）セッション、ＰＴＴセッション、グループ通信セッション、ソーシャルネットワーキングサービスなど）をサポートするように構成することもできる。
【００４１】
Ｐ−ＧＷ６２３は、更に、ポリシー施行及び課金データ収集のためのノードであってもよい。ポリシー及び課金施行機能（ＰＣＲＦ）６２６は、ＣＮ６２０のポリシー及び課金制御要素である。非ローミングシナリオでは、ＵＥのインターネットプロトコル接続アクセスネットワーク（ＩＰ−ＣＡＮ）セッションに関連付けられたＨＰＬＭＮ（Ｈｏｍｅ  Ｐｕｂｌｉｃ  Ｌａｎｄ  Ｍｏｂｉｌｅ  Ｎｅｔｗｏｒｋ）内に単一のＰＣＲＦが存在してもよい。トラフィックのローカルブレークアウトを伴うローミングシナリオでは、ＵＥのＩＰ−ＣＡＮセッションに関連付けられた２つのＰＣＲＦ、すなわち、ＨＰＬＭＮ内のＨｏｍｅＰＣＲＦ（Ｈ−ＰＣＲＦ）とＶＰＬＭＮ（Ｖｉｓｉｔｅｄ  Ｐｕｂｌｉｃ  Ｌａｎｄ  Ｍｏｂｉｌｅ  Ｎｅｔｗｏｒｋ）内のＶｉｓｉｔｅｄＰＣＲＦ（Ｖ−ＰＣＲＦ）が存在し得る。ＰＣＲＦ６２６は、Ｐ−ＧＷ６２３を介してアプリケーションサーバ６３０に通信可能に連結されてもよい。アプリケーションサーバ６３０は、ＰＣＲＦ６２６に信号を送って、新しいサービスフローを指示し、適切なサービス品質（ＱｏＳ）及び課金パラメータを選択することができる。ＰＣＲＦ６２６は、アプリケーションサーバ６３０によって指定されたＱｏＳ及び課金を開始する、適切なトラフィックフローテンプレート（ＴＦＴ）及びＱｏＳクラスの識別子（ＱＣＩ）を有するポリシー及び課金施行機能（ＰＣＥＦ）（図示せず）に、このルールをプロビジョニングすることができる。
【００４２】
図７は、いくつかの実施形態に係るデバイス７００の例示の構成要素を示す。いくつかの実施形態では、デバイス７００は、少なくとも図示されるように共に連結されたアプリケーション回路７０２と、ベースバンド回路７０４と、無線周波数（ＲＦ）回路７０６と、フロントエンドモジュール（ＦＥＭ）回路７０８と、１つ以上のアンテナ７１０と、電力管理回路（ＰＭＣ）７１２と、を含み得る。図示されたデバイス７００の構成要素は、ＵＥ又はＲＡＮノードに含まれてもよい。いくつかの実施形態では、デバイス７００は、より少ない要素しか含まなくてもよい（例えば、ＲＡＮノードは、アプリケーション回路７０２を利用しなくてもよく、代わりに、ＥＰＣから受信したＩＰデータを処理するためのプロセッサ／コントローラを含んでもよい）。いくつかの実施形態では、デバイス７００は、例えば、メモリ／記憶装置、ディスプレイ、カメラ、センサ、又は入出力（Ｉ／Ｏ）インターフェースなどの追加の要素を含んでもよい。他の実施形態では、以下に記載する構成要素は、２つ以上のデバイスに含まれてもよい（例えば、上記回路は、クラウドＲＡＮ（Ｃ−ＲＡＮ）実装のために２つ以上のデバイスに別々に含まれてもよい）。
【００４３】
アプリケーション回路７０２は、１つ以上のアプリケーションプロセッサを含み得る。例えば、アプリケーション回路７０２は、限定されないが、１つ以上のシングルコア又はマルチコアプロセッサなどの回路を含むことができる。プロセッサ（単数又は複数）は、汎用プロセッサ及び専用プロセッサ（例えば、グラフィックプロセッサ、アプリケーションプロセッサなど）の任意の組み合わせを含んでもよい。プロセッサは、メモリ／記憶装置に連結されてもよいし、メモリ／記憶装置を含んでもよく、様々なアプリケーション又はオペレーティングシステムをデバイス７００上で実行することを可能にするために、メモリ／記憶装置に記憶された命令を実行するように構成されてもよい。いくつかの実施形態では、アプリケーション回路７０２のプロセッサは、ＥＰＣから受信したＩＰデータパケットを処理することができる。
【００４４】
ベースバンド回路７０４は、限定されないが、１つ以上のシングルコアプロセッサ又はマルチコアプロセッサなどの回路を含むことができる。ベースバンド回路７０４は、ＲＦ回路７０６の受信信号経路から受信したベースバンド信号を処理し、ＲＦ回路７０６の送信信号経路のためのベースバンド信号を生成するための、１つ以上のベースバンドプロセッサ又は制御ロジックを含むことができる。ベースバンド処理回路７０４は、ベースバンド信号の生成及び処理のために、かつＲＦ回路７０６の動作を制御するために、アプリケーション回路７０２とインターフェース接続することができる。例えば、いくつかの実施形態では、ベースバンド回路７０４は、第３世代（３Ｇ）ベースバンドプロセッサ７０４Ａ、第４世代（４Ｇ）ベースバンドプロセッサ７０４Ｂ、第５世代（５Ｇ）ベースバンドプロセッサ７０４Ｃ、又は他の既存世代、開発中の、若しくは将来開発される世代（例えば、第２世代（２Ｇ）、第６世代（６Ｇ）など）の他のベースバンドプロセッサ７０４Ｄを含み得る。ベースバンド回路７０４（例えば、１つ以上のベースバンドプロセッサ７０４Ａ〜Ｄ）は、ＲＦ回路７０６を介した１つ以上の無線ネットワークとの通信を可能にする様々な無線制御機能を取り扱うことができる。他の実施形態では、ベースバンドプロセッサ７０４Ａ〜Ｄの機能の一部又は全部は、メモリ７０４Ｇに記憶されたモジュールに含まれ、中央処理装置（ＣＰＵ）７０４Ｅを介して実行されてもよい。無線制御機能としては、信号変調／復調、符号化／復号、無線周波数シフトなどを挙げることができるが、これらに限定されない。いくつかの実施形態では、ベースバンド回路７０４の変調／復調回路は、高速フーリエ変換（ＦＦＴ）、プリコーディング、又はコンステレーションマッピング／デマッピング機能を含んでもよい。いくつかの実施形態では、ベースバンド回路７０４の符号化／復号回路は、畳込み、テールバイティング畳込み、ターボ、ビタビ、又は低密度パリティチェック（ＬＤＰＣ）エンコーダ／デコーダ機能を含んでもよい。変調／復調及びエンコーダ／デコーダ機能の実施形態は、これらの実施例に限定されず、他の実施形態では他の好適な機能を含んでもよい。
【００４５】
いくつかの実施形態では、ベースバンド回路７０４は、１つ以上の音声デジタル信号プロセッサ（ＤＳＰ）（単数又は複数）７０４Ｆを含み得る。音声ＤＳＰ（単数又は複数）７０４Ｆは、圧縮／展開及びエコー除去のための要素を含んでもよく、他の実施形態では、他の好適な処理要素を含んでもよい。ベースバンド回路の構成要素は、いくつかの実施形態では、単一のチップ、単一のチップセット内で好適に組み合わされてもよいし、同じ回路基板上に配置されてもよい。いくつかの実施形態では、ベースバンド回路７０４及びアプリケーション回路７０２の構成要素の一部又は全部は、例えば、ＳＯＣ（ｓｙｓｔｅｍ  ｏｎ  ａ  ｃｈｉｐ）上に、一緒に実装されてもよい。
【００４６】
いくつかの実施形態では、ベースバンド回路７０４は、１つ以上の無線技術と互換性のある通信を提供することができる。例えば、いくつかの実施形態では、ベースバンド回路７０４は、発展型ユニバーサル地上無線アクセスネットワーク（ＥＵＴＲＡＮ）又は他のワイヤレスメトロポリタンエリアネットワーク（ＷＭＡＮ）、ワイヤレスローカルエリアネットワーク（ＷＬＡＮ）、ワイヤレスパーソナルエリアネットワーク（ＷＰＡＮ）との通信をサポートすることができる。ベースバンド回路７０４が２つ以上のワイヤレスプロトコルの無線通信をサポートするように構成される実施形態は、マルチモードベースバンド回路と称される場合がある。
【００４７】
ＲＦ回路７０６は、非固体媒体を通した変調電磁放射線を用いてワイヤレスネットワークとの通信を可能にすることができる。様々な実施形態では、ＲＦ回路７０６は、無線ネットワークとの通信を容易にするために、スイッチ、フィルタ、増幅器などを含んでもよい。ＲＦ回路７０６は、ＦＥＭ回路７０８から受信したＲＦ信号をダウンコンバートし、ベースバンド信号をベースバンド回路７０４に提供するための回路を含み得る受信信号経路を含み得る。ＲＦ回路７０６はまた、ベースバンド回路７０４によって提供されるベースバンド信号をアップコンバートし、送信のためにＲＦ出力信号をＦＥＭ回路７０８に提供するための回路を含み得る送信信号経路も含んでもよい。
【００４８】
いくつかの実施形態では、ＲＦ回路７０６の受信信号経路は、ミキサ回路７０６ａ、増幅器回路７０６ｂ及びフィルタ回路７０６ｃを含み得る。いくつかの実施形態では、ＲＦ回路７０６の送信信号経路は、フィルタ回路７０６ｃ及びミキサ回路７０６ａを含み得る。ＲＦ回路７０６はまた、受信信号経路及び送信信号経路のミキサ回路７０６ａによって使用される周波数を合成するための合成回路７０６ｄを含んでもよい。いくつかの実施形態では、受信信号経路のミキサ回路７０６ａは、合成回路７０６ｄによって提供される合成周波数に基づいて、ＦＥＭ回路７０８から受信したＲＦ信号をダウンコンバートするように構成されてもよい。増幅器回路７０６ｂは、ダウンコンバートされた信号を増幅するように構成することができ、フィルタ回路７０６ｃは、ダウンコンバートされた信号から不要な信号を除去して出力ベースバンド信号を生成するように構成されたローパスフィルタ（ＬＰＦ）又はバンドパスフィルタ（ＢＰＦ）であってもよい。出力ベースバンド信号は、更に処理するためにベースバンド回路７０４に提供されてもよい。いくつかの実施形態では、出力ベースバンド信号は、ゼロ周波数ベースバンド信号であってもよいが、これは必須ではない。いくつかの実施形態では、受信信号経路のミキサ回路７０６ａは、受動ミキサを含んでもよいが、実施形態の範囲はこの点で限定されない。
【００４９】
いくつかの実施形態では、送信信号経路のミキサ回路７０６ａは、合成回路７０６ｄによって提供される合成周波数に基づいて入力ベースバンド信号をアップコンバートして、ＦＥＭ回路７０８のためのＲＦ出力信号を生成するように構成されてもよい。ベースバンド信号は、ベースバンド回路７０４によって提供されてもよく、フィルタ回路７０６ｃによってフィルタリングされてもよい。
【００５０】
いくつかの実施形態では、受信信号経路のミキサ回路７０６ａ及び送信信号経路のミキサ回路７０６ａは、２つ以上のミキサを含んでもよく、直交ダウンコンバージョン及びアップコンバージョンのためにそれぞれ配置されてもよい。いくつかの実施形態では、受信信号経路のミキサ回路７０６ａ及び送信信号経路のミキサ回路７０６ａは、２つ以上のミキサを含んでもよく、画像除去（例えば、ハートレー（Hartley）画像除去）のために配置されてもよい。いくつかの実施形態では、受信信号経路のミキサ回路７０６ａ及びミキサ回路７０６ａは、それぞれ直接ダウンコンバージョン及び直接アップコンバージョンのために配置されてもよい。いくつかの実施形態では、受信信号経路のミキサ回路７０６ａ及び送信信号経路のミキサ回路７０６ａは、スーパーヘテロダイン動作のために構成されてもよい。
【００５１】
いくつかの実施形態では、出力ベースバンド信号及び入力ベースバンド信号はアナログベースバンド信号であってもよいが、実施形態の範囲はこの点で限定されない。いくつかの代替実施形態では、出力ベースバンド信号及び入力ベースバンド信号は、デジタルベースバンド信号であってもよい。これらの代替実施形態では、ＲＦ回路７０６は、アナログデジタル変換器（ＡＤＣ）及びデジタルアナログ変換器（ＤＡＣ）回路を含むことができ、ベースバンド回路７０４は、ＲＦ回路７０６と通信するためのデジタルベースバンドインターフェースを含んでもよい。
【００５２】
いくつかのデュアルモード実施形態では、各スペクトルの信号を処理するために別個の無線ＩＣ回路が提供されてもよいが、実施形態の範囲はこの点で限定されない。いくつかの実施形態では、合成回路７０６ｄは、フラクショナルＮ合成器であってもよく、又はフラクショナルＮ／Ｎ＋１合成器であってもよいが、他の種類の周波数合成器が適している場合があるので、本実施形態の範囲はこの点で限定されない。例えば、合成回路７０６ｄは、デルタ−シグマ合成器、周波数逓倍器、又は周波数分割器を有する位相同期回路（phase-locked loop）を備える合成器であってもよい。
【００５３】
合成回路７０６ｄは、周波数入力及び分割器制御入力に基づいて、ＲＦ回路７０６のミキサ回路７０６ａによって使用される出力周波数を合成するように構成されてもよい。いくつかの実施形態では、合成回路７０６ｄは、フラクショナルＮ／Ｎ＋１合成器であってもよい。
【００５４】
いくつかの実施形態では、周波数入力は、電圧制御発振器（ＶＣＯ）によって提供されてもよいが、それは必須ではない。分割器制御入力は、所望の出力周波数に応じてベースバンド回路７０４又はアプリケーションプロセッサ７０２のいずれかによって提供されてもよい。いくつかの実施形態では、分割器制御入力（例えば、Ｎ）は、アプリケーションプロセッサ７０２によって示されるチャネルに基づいてルックアップテーブルから決定されてもよい。
【００５５】
ＲＦ回路７０６の合成回路７０６ｄは、分割器、遅延ロックループ（ＤＬＬ）、マルチプレクサ、及び位相アキュムレータを含み得る。いくつかの実施形態では、分割器は、デュアルモジュラス分割器（ＤＭＤ）であってもよく、位相アキュムレータは、デジタル位相アキュムレータ（ＤＰＡ）であってもよい。いくつかの実施形態では、ＤＭＤは、入力信号を（例えば、実行に基づいて）Ｎ又はＮ＋１のいずれかに分割して、フラクショナル分割比を提供するように構成されてもよい。いくつかの例示的実施形態では、ＤＬＬは、カスケード式同調可能な遅延素子、位相検出器、チャージポンプ、及びＤ型フリップフロップのセットを含み得る。これらの実施形態では、遅延素子は、ＶＣＯ周期を、Ｎｄの等しい位相のパケットに分割するように構成することができ、ここでＮｄは遅延線内の遅延素子の数である。このようにして、ＤＬＬは、遅延線を通した合計遅延が１つのＶＣＯサイクルであることを保証することに寄与すべく、負のフィードバックを提供する。
【００５６】
いくつかの実施形態では、合成回路７０６ｄは、出力周波数としてキャリア周波数を生成するように構成されてもよい一方、他の実施形態では、出力周波数は、キャリア周波数の倍数（例えば、キャリア周波数の２倍、キャリア周波数の４倍）であってもよく、直交発生器及び分割器回路と併用して、互いに対して複数の異なる位相を有するキャリア周波数で複数の信号を生成することができる。いくつかの実施形態では、出力周波数はＬＯ周波数（ｆＬＯ）であってもよい。いくつかの実施形態では、ＲＦ回路７０６は、ＩＱ／極性変換器を含んでもよい。
【００５７】
ＦＥＭ回路７０８は、１つ以上のアンテナ７１０から受信したＲＦ信号上で動作し、受信信号を増幅し、更に処理するために受信信号の増幅バージョンをＲＦ回路７０６に提供するように構成された回路を含み得る受信信号経路を含んでもよい。ＦＥＭ回路７０８はまた、１つ以上のアンテナ７１０のうちの１つ以上によって送信するためにＲＦ回路７０６によって提供される送信のための信号を増幅するように構成された回路を含み得る送信信号経路を含んでもよい。様々な実施形態では、送信又は受信信号経路を通じた増幅は、ＲＦ回路７０６のみにおいて、ＦＥＭ７０８のみにおいて、又はＲＦ回路７０６及びＦＥＭ７０８の両方において行われてもよい。
【００５８】
いくつかの実施形態では、ＦＥＭ回路７０８は、送信モードと受信モード動作との間で切り替えるためのＴＸ／ＲＸスイッチを含んでもよい。ＦＥＭ回路は、受信信号経路及び送信信号経路を含み得る。ＦＥＭ回路の受信信号経路は、受信されたＲＦ信号を増幅し、増幅された受信ＲＦ信号を出力として（例えば、ＲＦ回路７０６に）提供するためのＬＮＡを含んでもよい。ＦＥＭ回路７０８の送信信号経路は、（例えば、ＲＦ回路７０６によって提供される）入力ＲＦ信号を増幅するための電力増幅器（ＰＡ）と、（例えば、１つ以上のアンテナ７１０のうちの１つ以上による）後続する送信のためにＲＦ信号を生成するための１つ以上のフィルタとを含むことができる。
【００５９】
いくつかの実施形態では、ＰＭＣ７１２は、ベースバンド回路７０４に提供される電力を管理することができる。具体的には、ＰＭＣ７１２は、電源選択、電圧スケーリング、バッテリ充電、又はＤＣ−ＤＣ変換を制御することができる。デバイス７００がバッテリによって給電可能である場合、例えば、このデバイスがＵＥに含まれている場合に、多くの場合、ＰＭＣ７１２が含まれてもよい。ＰＭＣ７１２は、望ましい実装サイズ及び放熱特性を付与しながら、電力変換効率を高めることができる。
【００６０】
図７は、ベースバンド回路７０４のみと連結されたＰＭＣ７１２を示す。しかし、他の実施形態では、ＰＭＣ７１２は、追加的に又は代替的に、他の構成要素と連結され、同様の電力管理動作を実行することができ、他の構成要素は、限定されないが、アプリケーション回路７０２、ＲＦ回路７０６又はＦＥＭ７０８などのである。
【００６１】
いくつかの実施形態では、ＰＭＣ７１２は、デバイス７００の様々な省電力機構を制御するか、又は別の方法でその一部とすることができる。例えば、デバイス７００がＲＲＣ接続状態にある場合（トラフィックを間もなく受信することが予期される際、ＲＡＮノードに依然として接続されている場合）、デバイスは、非アクティブ期間後に間欠受信モード（ＤＲＸ）として知られる状態に入ることができる。この状態の間は、デバイス７００は、短時間電力を落とすことができ、それによって節電することができる。
【００６２】
長期間データトラフィックアクティビティがない場合、デバイス７００はその後、オフにしてＲＲＣアイドル状態（ネットワークから切断し、チャネル品質フィードバック、ハンドオーバーなどの動作を実行しない）に遷移してもよい。デバイス７００は、極低電力状態になり、ネットワークをリッスンするため再び周期的に起動し、その後、再び電源を落とすというページングを実行する。デバイス７００は、この状態でデータを受信することができず、データを受信するためには、ＲＲＣ接続状態に遷移しなければならない。
【００６３】
付加的な省電力モードにより、ページング間隔より長期間（秒から数時間に及ぶ）、デバイスがネットワークを利用不可にすることを可能にしてもよい。この間、デバイスは、ネットワークに全く接続できず、完全に電力を落とすことができる。この間に送信されるどんなデータも、大きな遅延をもたらし、遅延が許容できるものと想定される。
【００６４】
アプリケーション回路７０２のプロセッサ及びベースバンド回路７０４のプロセッサを使用して、プロトコルスタックの１つ以上のインスタンスの要素を実行することができる。例えば、ベースバンド回路７０４のプロセッサを単独で又は組み合わせて使用することができ、レイヤ３、レイヤ２、又はレイヤ１の機能を実行することができる一方で、アプリケーション回路７０４のプロセッサは、これらのレイヤから受信したデータ（例えば、パケットデータ）を利用してもよく、更に、レイヤ４の機能（例えば、伝送通信プロトコル（ＴＣＰ）及びユーザデータグラムプロトコル（ＵＤＰ）レイヤ）を実行してもよい。本明細書で言及するように、レイヤ３は、以下に更に詳細に記載する無線リソース制御（ＲＲＣ）レイヤを含んでもよい。本明細書で言及するように、レイヤ２は、以下に更に詳細に記載する、メディアアクセス制御（ＭＡＣ）レイヤ、無線リンク制御（ＲＬＣ）レイヤ、及びパケットデータ収束プロトコル（ＰＤＣＰ）レイヤを含み得る。本明細書で言及するように、レイヤ１は、以下に更に詳細に記載する、ＵＥ／ＲＡＮノードの物理（ＰＨＹ）レイヤを含み得る。
【００６５】
図８は、いくつかの実施形態によるベースバンド回路の例示的なインターフェースを示す。上記に議論したように、図７のベースバンド回路７０４は、プロセッサ７０４Ａ〜７０４Ｅと、そのプロセッサによって利用されるメモリ７０４Ｇと、を含み得る。プロセッサ７０４Ａ〜７０４Ｅのそれぞれは、メモリ７０４Ｇに／メモリＧからデータを送信／受信するために、メモリインターフェース８０４Ａ〜８０４Ｅをそれぞれ含み得る。
【００６６】
ベースバンド回路７０４は、他の回路／デバイスに通信可能に連結するための１つ以上のインターフェースを更に含むことができ、それは、メモリインターフェース８１２（例えば、ベースバンド回路７０４の外部のメモリに／からデータを送信／受信するインターフェース）、アプリケーション回路インターフェース８１４（例えば、図７のアプリケーション回路７０２に／からデータを送信／受信するためのインターフェース）、ＲＦ回路インターフェース８１６（例えば、図７のＲＦ回路７０６に／からデータを送信／受信するインターフェース）、ワイヤレスハードウェア接続インターフェース８１８（例えば、近距離無線通信（ＮＦＣ）構成要素、Ｂｌｕｅｔｏｏｔｈ（登録商標）構成要素（例えば、Ｂｌｕｅｔｏｏｔｈ（登録商標）Ｌｏｗ  Ｅｎｅｒｇｙ）、Ｗｉ−Ｆｉ（登録商標）構成要素、及び他の通信構成要素に／からデータを送信／受信するインターフェース）、及び、電力管理インターフェース８２０（例えば、ＰＭＣ７１２に／から電力又は制御信号を送信／受信するためのインターフェース）などである。
【００６７】
以下は、本明細書に記載する主題の例示的な実装態様である。本明細書に記載する実施例及びその変形例のいずれも、任意の他の１つ以上の実施例又は変形例の任意の順列又は組み合わせで使用される場合があるが、請求項に記載される主題の範囲は、これらの点で限定されないことに留意されたい。
【００６８】
実施例１では、ユーザ機器（ＵＥ）の装置は、ネットワークのセルから１つ以上のサブフレームを受信し、ＣＲＳの緩和がセルによって使用されるかどうかを判定するために、１つ以上のサブフレーム内のセル固有参照信号（ＣＲＳ）送信パターンを検出するための１つ以上のベースバンドプロセッサであって、１つ以上のベースバンドプロセッサは、ＣＲＳの緩和が使用されるときに、１つ以上のサブフレームの処理を調整するものである、１つ以上のベースバンドプロセッサと、１つ以上のサブフレームを記憶するメモリと、を備える。実施例２は、実施例１又は本明細書に記載される実施例のうちのいずれかの主題を含んでもよく、セルは、サービングセル又は隣接セルを含む。実施例３は、実施例１又は本明細書に記載される実施例のうちのいずれかの主題を含んでもよく、１つ以上のベースバンドプロセッサは、ＣＲＳの緩和が使用されるときに無線リソース管理（ＲＲＭ）手順又は復調手順を調整するものである。実施例４は、実施例１又は本明細書に記載される実施例のうちのいずれかの主題を含んでもよく、ＣＲＳの緩和がセルによって使用されるかどうかを判定することは、物理リソースブロック（ＰＲＢ）の中央セット（ＲＳＲＰ＿ＩＮ）上のＣＲＳ参照信号受信電力（ＲＳＲＰ）を推定し、１つ以上のサブフレームのＰＲＢの外側セット（ＲＳＲＰ＿ＯＵＴ）上のＣＲＳ  ＲＳＲＰを推定することと、ＲＳＲＰ＿ＩＮがＲＳＲＰ＿ＯＵＴ及びマージンを超えている場合に、ＣＲＳの緩和がセルによって使用されると判定することと、を含む。実施例５は、実施例１又は本明細書に記載される実施例のうちのいずれかの主題を含んでもよく、ＲＳＲＰ＿ＯＵＴを推定することは、ＰＲＢの中央セットを含まない。実施例６は、実施例１又は本明細書に記載される実施例のうちのいずれかの主題を含んでもよく、ＲＳＲＰ＿ＯＵＴを推定することは、物理リソースブロック（ＰＲＢ）の中央セットのうちの１つ以上を含む広帯域ＲＳＲＰ測定を含む。実施例７は、実施例１又は本明細書に記載される実施例のうちのいずれかの主題を含んでもよく、ＣＲＳの緩和がセルによって使用されるかどうかを判定することは、１つ以上のサブフレーム物理リソースブロック（ＰＲＢ）の外側セットの周波数領域で第１のＣＲＳ信号（ＣＲＳ信号１）を再構成し、１つ以上のサブフレームの全帯域幅の周波数領域で第２のＣＲＳ信号（ＣＲＳ信号２）を再構成することと、ＣＲＳ信号１又はＣＲＳ信号２を用いて相互相関又は部分相互相関を実行することであって、相互相関ピークが見つからない場合には、ＣＲＳの緩和がセルによって使用され、又は相互相関ピークが見つかる場合には、ＣＲＳの緩和がセルによって使用されない、ことと、を含む。実施例８は、実施例１又は本明細書に記載される実施例のうちのいずれかの主題を含んでもよく、１つ以上のベースバンドプロセッサはＣＲＳ信号１との相互相関又は部分相互相関を実行するものであり、修正された受信信号は、物理リソースブロック（ＰＲＢ）のヌリングされた中央セットを有する受信信号を含む。実施例９は、実施例１又は本明細書に記載される実施例のうちのいずれかの主題を含んでもよく、１つ以上のベースバンドプロセッサは、完全受信信号を有���るＣＲＳ信号２との相互相関又は部分相互相関を実行するものである。実施例１０は、実施例１又は本明細書に記載される実施例のうちのいずれかの主題を含んでもよく、第１のＣＲＳ信号及び第２のＣＲＳ信号は、周波数領域の代わりに時間領域で再構成される。実施例１１は、実施例１又は本明細書に記載される実施例のうちのいずれかの主題を含んでもよく、１つ以上のベースバンドプロセッサは、ＣＲＳ信号が１つ以上のサブフレームの外側物理リソースブロック（ＰＲＢ）で送信されないときに、１つ以上のサブフレームの処理を調整するものである。実施例１２は、実施例１又は本明細書に記載される実施例のうちのいずれかの主題を含んでもよく、１つ以上のベースバンドプロセッサは、ＣＲＳの緩和が１つ以上のサブフレームに対して検出されたときに、ＣＲＳ信号を伴わずに、ＣＲＳ干渉緩和（ＣＲＳ−ＩＭ）処理を無効化するものである。実施例１３は、実施例１又は本明細書に記載される実施例のうちのいずれかの主題を含んでもよく、１つ以上のベースバンドプロセッサは、１つ以上のサブフレームに対してＣＲＳの緩和が検出されたときに、全ての物理リソースブロック（ＰＲＢ）におけるＣＲＳ干渉緩和（ＣＲＳ−ＩＭ）処理を無効化するものである。実施例１４は、実施例１又は本明細書に記載される実施例のうちのいずれかの主題を含んでもよく、１つ以上のベースバンドプロセッサは、ＣＲＳの緩和が１つ以上のサブフレームに対して検出されたときに、ＣＲＳ信号を伴わずに、物理リソースブロック（ＰＲＢ）内のネットワーク支援型干渉除去及び抑制（ＮＡＩＣＳ）受信機処理を無効化するものである。実施例１５は、実施例１又は本明細書に記載される実施例のうちのいずれかの主題を含んでもよく、１つ以上のベースバンドプロセッサは、ＣＲＳの緩和が１つ以上のサブフレームに対して検出されたときに、ＣＲＳ信号を有する物理リソースブロック（ＰＲＢ）のみを用いて、隣接セル上の参照信号受信電力（ＲＳＲＰ）又は参照信号受信品質（ＲＳＲＱ）を含む無線リソース管理（ＲＲＭ）測定を実行するものである。実施例１６は、実施例１又は本明細書に記載される実施例のうちのいずれかの主題を含んでもよく、１つ以上のベースバンドプロセッサは、ＣＲＳの緩和が１つ以上のサブフレームに対して検出されたときに、ＣＲＳ信号を有する物理リソースブロック（ＰＲＢ）のみを用いて、隣接セル上で無線リンクモニタリング（ＲＬＭ）を実行するものである。
【００６９】
実施例１７では、発展型ＮｏｄｅＢ（ｅＮＢ）の装置は、ネットワークのセルが、セルによって送信される１つ以上のサブフレーム上でセル固有参照信号（ＣＲＳ）を使用することができるかどうかについてユーザ機器（ＵＥ）に指示を送信するための１つ以上のベースバンドプロセッサと、その指示を記憶するメモリと、を備える。実施例１８は、実施例１７又は本明細書に記載される実施例のいずれかの主題を含んでもよく、セルは、サービングセル又は隣接セルを含む。実施例１９は、実施例１７又は本明細書に記載される実施例のうちのいずれかの主題を含んでもよく、この指示は、無線リソース制御（ＲＣＣ）シグナリング経由を含む半静的方法でＵＥに送信され、１つ以上のベースバンドプロセッサは、ＣＲＳ送信を動的にオンに切り替えるか又はオフに切り替えるものである。実施例２０は、実施例１７又は本明細書に記載される実施例のうちのいずれかの主題を含んでもよく、この指示は、下りリンク制御情報（ＤＣＩ）経由を含む動的な方法でＵＥに送信され、この指示は、ＣＲＳの緩和が適用される正確なリソース、及びＣＲＳの緩和が適用される１つ以上のサブフレームのセットに関する情報を含む。実施例２１は、実施例１７又は本明細書に記載される実施例のうちのいずれかの主題を含んでもよく、この指示は、イベントの前のウォームアップサブフレームの最大数、又はイベント後のクールダウンサブフレームの最大数を含み、ウォームアップサブフレーム及びクールダウンサブフレームは、全帯域幅ＣＲＳサブフレームを含む。実施例２２は、実施例１７又は本明細書に記載の実施例のいずれかの主題を含んでもよく、このイベントは、ページング機会、ＳＩ読み取りウィンドウ、拡張間欠受信（ｅＤＲＸ）中のページング送信ウィンドウ、ＵＥの接続ＤＲＸ（Ｃ−ＤＲＸ）のアクティブ時間、位置決定参照信号（ＰＲＳ）送信、ランダムアクセスチャネル（ＲＡＣＨ）機会、若しくはスケジューリング要求送信、又はそれらの組み合わせを含む。実施例２３は、実施例１７又は本明細書に記載される実施例のうちのいずれかの主題を含んでもよく、この指示は、専用の無線リソース制御（ＲＲＣ）シグナリングによって、又はシステム情報ブロック（ＳＩＢ）でブロードキャストすることによって送信される。
【００７０】
実施例２４では、１つ以上の機械可読媒体は、命令を有し、それがユーザ機器（ＵＥ）の装置によって実行されると、ネットワークのセルから１つ以上のサブフレームを受信し、ＣＲＳの緩和が前記セルによって使用されるかどうかを判定するために、前記１つ以上のサブフレーム内のセル固有参照信号（ＣＲＳ）送信パターンを検出し、ＣＲＳの緩和が使用されるときに１つ以上のサブフレームの処理を調整することになる命令を有する。実施例２５は、実施例２４又は本明細書に記載される実施例のいずれかの主題を含んでもよく、セルは、サービングセル又は隣接セルを含む。実施例２６は、実施例２４又は本明細書に記載の実施例のいずれかの主題を含んでもよく、命令は、実行されると、更に、ＣＲＳの緩和が使用されるときに無線リソース管理（ＲＲＭ）手順又は復調手順を調整することになる。実施例２７は、実施例２４又は本明細書に記載の実施例のいずれかの主題を含んでもよく、命令は、実行されると、更に、物理リソースブロック（ＰＲＢ）の中央セット（ＲＳＲＰ＿ＩＮ）上のＣＲＳ参照信号受信電力（ＲＳＲＰ）を推定し、１つ以上のサブフレームのＰＲＢの外側セット（ＲＳＲＰ＿ＯＵＴ）上のＣＲＳ  ＲＳＲＰを推定し、ＲＳＲＰ＿ＩＮがＲＳＲＰ＿ＯＵＴ及びマージンを超えている場合に、ＣＲＳの緩和がセルによって使用されると判定することによって、ＣＲＳの緩和がセルによって使用されるかどうかを判定することになる。
【００７１】
実施例２８では、１つ以上の機械可読媒体は、命令を有し、それが発展型ＮｏｄｅＢ（ｅＮＢ）の装置によって実行されるとき、ネットワークのセルが、セルによって送信される１つ以上のサブフレーム上でセル固有参照信号（ＣＲＳ）の緩和を使用することができるかどうかのユーザ機器（ＵＥ）への指示を符号化し、専用の無線リソース制御（ＲＲＣ）シグナリングによって、又はシステム情報ブロック（ＳＩＢ）でブロードキャストすることによって、ＵＥに指示を送信することになる命令を有する。実施例２９は、実施例２８又は本明細書に記載される実施例のうちのいずれかの主題を含んでもよく、この指示は、半静的にＵＥに送信され、命令は、実行されると、更に、ＣＲＳ送信を動的にオンに切り替えるか又はオフに切り替えることになる。実施例３０は、実施例２８又は本明細書に記載される実施例のうちのいずれかの主題を含んでもよく、この指示は、下りリンク制御情報（ＤＣＩ）経由を含む動的な方法でＵＥに送信され、この指示は、ＣＲＳの緩和が適用される正確なリソース、及びＣＲＳの緩和が適用される１つ以上のサブフレームのセットに関する情報を含む。実施例３１では、機械可読記憶装置は、実行されると、先行するいずれかの実施例に記載されている装置を実現するための機械可読命令を含む。
【００７２】
本明細書における説明及び／又は特許請求の範囲において、連結されている及び接続されているという用語は、これらの派生語と共に使用される場合がある。特定の実施形態では、接続されるが、２つ以上の要素が互いに直接物理的にかつ／又は電気的に接触していることを示すために使用される場合がある。連結されているは、２つ以上の要素が直接物理的にかつ／又は電気的に接触していることを意味し得る。しかし、連結されているは、２つ以上の要素が互いに直接接触していなくてもよいが、依然として互いに協働及び／又は相互作用し得ることを意味する場合もある。例えば、「連結されている」とは、２つ以上の要素が互いに接触していないが、別の要素又は中間要素を介して間接的に互いに接合されることを意味する場合がある。最後に、用語「上に（on）」、「上に重なる（overlying）」、及び「の上方に（over）」は、以下の説明及び特許請求の範囲において使用される場合がある。「上に（on）」、「上に重なる（overlying）」、及び「の上方に（over）」は、２つ以上の要素が互いに直接物理的に接触していることを示すために使用される場合がある。しかし、「の上方に（over）」はまた、２つ以上の要素が互いに直接接触していないことを意味する場合があることに留意されたい。例えば、「の上方に（over）」は、１つの要素が別の要素の上方にあるが互いに接触していないことを意味する場合があり、２つの要素間に別の要素又は複数の要素を有する場合があることを意味する場合がある。更に、用語「及び／又は」は、「及び」を意味してもよく、「又は」を意味してもよく、「排他的な又は」を意味してもよく、「１つ」を意味してもよく、「一部ではあるが、全部ではない」を意味してもよく、「いずれも〜ない」ことを意味してもよく、かつ／又は「両方」を意味してもよく、請求項に記載される主題の範囲は、この点において限定されない。本明細書の記載及び／又は特許請求の範囲において、用語「含む／備える（comprise）」及び「含む（include）」は、それらの派生語と共に使用されてもよく、互いに同義語として意図される。
【００７３】
請求項に記載される主題は、特定の詳細度で記載されているが、請求項に記載される主題の趣旨及び／又は範囲から逸脱することなく、その要素が当業者によって変更され得ることを認識されたい。ネットワークベースのＣＲＳの緩和に関する主題及びその付随する効用の多くは、前述の説明によって理解されるであろうと考えられ、請求項に記載される主題の範囲及び／若しくは趣旨から逸脱することなく、又はその材料の利点の全てを犠牲にすることなく、構成要素の形態、構成、及び／又は配置において様々な変更がなされ得ることが明らかとなるであろう。記載前の本明細書の形態は、その説明上の実施形態に過ぎず、かつ／又はそれに実質的な変化を提供することない。特許請求の範囲は、そのような変更を包含するかつ／又は含むことが、請求項の意図である。
【図１】
2020530697.tif 000003
【図２Ａ】
2020530697.tif 000004
【図２Ｂ】
2020530697.tif 000005
【図３】
2020530697.tif 000006
【図４】
2020530697.tif 000007
【図５】
2020530697.tif 000008
【図６】
2020530697.tif 000009
【図７】
2020530697.tif 000010
【図８】
2020530697.tif 000011
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
ネットワークのセルから１つ以上のサブフレームを受信し、ＣＲＳの緩和が前記セルによって使用されるかどうかを判定するために、前記１つ以上のサブフレーム内のセル固有参照信号（ＣＲＳ）送信パターンを検出するための１つ以上のベースバンドプロセッサであって、前記１つ以上のベースバンドプロセッサが、ＣＲＳの緩和が使用されるときに、前記１つ以上のサブフレームの処理を調整するものである、１つ以上のベースバンドプロセッサと、
前記１つ以上のサブフレームを記憶するためのメモリと、
を備える、ユーザ機器（ＵＥ）の装置。
【請求項２】
前記セルが、サービングセル又は隣接セルを含む、請求項１に記載の装置。
【請求項３】
前記１つ以上のベースバンドプロセッサは、ＣＲＳの緩和が使用されるときに無線リソース管理（ＲＲＭ）手順又は復調手順を調整するものである、請求項１に記載の装置。
【請求項４】
ＣＲＳの緩和が前記セルによって使用されるかどうかを判定することは、
物理リソースブロック（ＰＲＢ）の中央セット（ＲＳＲＰ  ＩＮ）上のＣＲＳ参照信号受信電力（ＲＳＲＰ）を推定し、前記１つ以上のサブフレームのＰＲＢの外側セット（ＲＳＲＰ  ＯＵＴ）上のＣＲＳ  ＲＳＲＰを推定することと、
ＲＳＲＰ  ＩＮがＲＳＲＰ  ＯＵＴ及びマージンを超えている場合に、ＣＲＳの緩和が前記セルによって使用されると判定することと、を含む、請求項１に記載の装置。
【請求項５】
前記ＲＳＲＰ  ＯＵＴを推定することは、前記ＰＲＢの中央セットを含まない、請求項４に記載の装置。
【請求項６】
前記ＲＳＲＰ  ＯＵＴを推定することは、前記物理リソースブロック（ＰＲＢ）の中央セットのうちの１つ以上を含む広帯域ＲＳＲＰ測定を含む、請求項４に記載の装置。
【請求項７】
ＣＲＳの緩和が前記セルによって使用されるかどうかを判定することは、
前記１つ以上のサブフレームの物理リソースブロック（ＰＲＢ）の外側セットの周波数領域で第１のＣＲＳ信号（ＣＲＳ信号１）を再構成し、前記１つ以上のサブフレームの全帯域幅の周波数領域で第２のＣＲＳ信号（ＣＲＳ信号２）を再構成することと、ＣＲＳ信号１又はＣＲＳ信号２を用いて相互相関又は部分相互相関を実行することであって、相互相関ピークが見つからない場合には、ＣＲＳの緩和は前記セルによって使用され、又は相互相関ピークが見つかる場合には、ＣＲＳの緩和は前記セルによって使用されない、ことと、を含む、請求項１に記載の装置。
【請求項８】
前記１つ以上のベースバンドプロセッサは、ＣＲＳ信号１との前記相互相関又は前記部分相互相関を実行するものであり、修正された受信信号は、物理リソースブロック（ＰＲＢ）のヌリングされた中央セットを有する受信信号を含む、請求項７に記載の装置。
【請求項９】
前記１つ以上のベースバンドプロセッサは、完全受信信号を有するＣＲＳ信号２との前記相互相関又は前記部分相互相関を実行するものである、請求項７に記載の装置。
【請求項１０】
前記第１のＣＲＳ信号及び前記第２のＣＲＳ信号は、周波数領域の代わりに時間領域で再構成される、請求項７に記載の装置。
【請求項１１】
前記１つ以上のベースバンドプロセッサは、ＣＲＳ信号が前記１つ以上のサブフレームの前記外側物理リソースブロック（ＰＲＢ）で送信されないときに、前記１つ以上のサブフレームの処理を調整するものである、請求項１に記載の装置。
【請求項１２】
前記１つ以上のベースバンドプロセッサは、ＣＲＳの緩和が前記１つ以上のサブフレームに対して検出されたときに、ＣＲＳ信号を伴わずに、物理リソースブロック（ＰＲＢ）のＣＲＳ干渉緩和（ＣＲＳ−ＩＭ）処理を無効化するものである、請求項１に記載の装置。
【請求項１３】
前記１つ以上のベースバンドプロセッサは、ＣＲＳの緩和が前記１つ以上のサブフレームに対して検出されたときに、全ての物理リソースブロック（ＰＲＢ）におけるＣＲＳ干渉緩和（ＣＲＳ−ＩＭ）処理を無効化するものである、請求項１に記載の装置。
【請求項１４】
前記１つ以上のベースバンドプロセッサは、ＣＲＳの緩和が前記１つ以上のサブフレームに対して検出されたときに、ＣＲＳ信号を伴わずに、物理リソースブロック（ＰＲＢ）内のネットワーク支援型干渉除去及び抑制（ＮＡＩＣＳ）受信機処理を無効化するものである、請求項１に記載の装置。
【請求項１５】
前記１つ以上のベースバンドプロセッサは、ＣＲＳの緩和が前記１つ以上のサブフレームに対して検出されたときに、ＣＲＳ信号を有する物理リソースブロック（ＰＲＢ）のみを用いて、隣接セル上の参照信号受信電力（ＲＳＲＰ）又は参照信号受信品質（ＲＳＲＱ）を含む無線リソース管理（ＲＲＭ）測定を実行するものである、請求項１に記載の装置。
【請求項１６】
前記１つ以上のベースバンドプロセッサは、ＣＲＳの緩和が前記１つ以上のサブフレームに対して検出されたときに、ＣＲＳ信号を有する物理リソースブロック（ＰＲＢ）のみを用いて、隣接セル上で無線リンクモニタリング（ＲＬＭ）を実行するものである、請求項１に記載の装置。
【請求項１７】
ネットワークのセルが、前記セルによって送信される１つ以上のサブフレームでセル固有参照信号（ＣＲＳ）を使用することができるかどうかについてユーザ機器（ＵＥ）に指示を送信するための１つ以上のベースバンドプロセッサと、
前記指示を記憶するメモリと、
を備える、発展型ＮｏｄｅＢ（ｅＮＢ）の装置。
【請求項１８】
前記セルが、サービングセル又は隣接セルを含む、請求項１７に記載の装置。
【請求項１９】
前記指示は、無線リソース制御（ＲＣＣ）シグナリング経由を含む半静的方法で前記ＵＥに送信され、前記１つ以上のベースバンドプロセッサは、ＣＲＳ送信を動的にオンに切り替えるか又はオフに切り替えるものである、請求項１７に記載の装置。
【請求項２０】
前記指示は、下りリンク制御情報（ＤＣＩ）経由を含む動的な方法で前記ＵＥに送信され、前記指示は、ＣＲＳの緩和が適用される前記正確なリソース、及びＣＲＳの緩和が適用される前記１つ以上のサブフレームのセットに関する情報を含む、請求項１７に記載の装置。
【請求項２１】
前記指示が、イベントの前のウォームアップサブフレームの最大数、又はイベント後のクールダウンサブフレームの最大数を含み、ウォームアップサブフレーム及びクールサブフレームは、全帯域幅ＣＲＳサブフレームを含む、請求項１７に記載の装置。
【請求項２２】
前記イベントが、ページング機会、ＳＩ読み取りウィンドウ、拡張間欠受信（ｅＤＲＸ）中のページング送信ウィンドウ、前記ＵＥの接続ＤＲＸ（Ｃ−ＤＲＸ）のアクティブ時間、位置決定参照信号（ＰＲＳ）送信、ランダムアクセスチャネル（ＲＡＣＨ）機会、若しくはスケジューリング要求送信、又はそれらの組み合わせを含む、請求項２１に記載の装置。
【請求項２３】
前記指示が、専用の無線リソース制御（ＲＲＣ）シグナリングによって、又はシステム情報ブロック（ＳＩＢ）でブロードキャストすることによって送信される、請求項１７に記載の装置。
【国際調査報告】
2020530697.tif 000012
2020530697.tif 000013
2020530697.tif 000014